(57)【特許請求の範囲】
【請求項１】
上流側搬送手段から搬送された原稿の読取面の画像を、読取手段により読取り、前記原稿を下流側搬送手段によって下流側に搬送する原稿搬送装置において、
前記読取手段に対向する平面部と、該平面部と前記上流側搬送手段との間に配置され該平面部の上流側に連なる上流側傾斜部と、該平面部と前記下流側搬送手段との間に配置され該平面部の下流側に連なる下流側傾斜部と、を有し、前記原稿の読取面と反対面側をガイドするガイド部材と、
前記ガイド部材と対向し、前記原稿の読取面側をガイドする透明シートと、
前記上流側傾斜部に対向し前記透明シートを挟んで反対側に設けられ、前記透明シートを持ち上げる弾性部材を有し、且つ前記透明シートが前記上流側傾斜部に当接するように、あるいは前記透明シートと前記上流側傾斜部との隙間が微小となるように、前記透明シートを保持するシート保持手段と、
を有することを特徴とする原稿搬送装置。
【請求項２】
前記弾性部材は、シート状弾性部材で構成されていることを特徴とする請求項１記載の原稿搬送装置。
【請求項３】
上流側搬送手段から搬送された原稿の読取面の画像を、読取手段により読取り、前記原稿を下流側搬送手段によって下流側に搬送する原稿搬送装置において、
前記読取手段に対向する平面部と、該平面部と前記上流側搬送手段との間に配置され該平面部の上流側に連なる上流側傾斜部と、該平面部と前記下流側搬送手段との間に配置され該平面部の下流側に連なる下流側傾斜部と、を有し、前記原稿の読取面と反対面側をガイドするガイド部材と、
前記ガイド部材と対向し、前記原稿の読取面側をガイドする透明シートと、
前記透明シートと当接する非弾性部材と、該非弾性部材を前記透明シート側に付勢する弾性部材とを有し、且つ前記透明シートが前記上流側傾斜部に当接するように、あるいは前記透明シートと前記上流側傾斜部との隙間が微小となるように、前記透明シートを保持するシート保持手段と、
を有することを特徴とする原稿搬送装置。
【請求項４】
前記ガイド部材には、前記透明シートと当接し、前記読取手段と前記透明シートとの間隔を所定量に保持するための突起部材が設けられていることを特徴とする請求項１乃至３のいずれかに記載の原稿搬送装置。
【請求項５】
原稿搬送装置により搬送された原稿の読取面の画像を読取る読取手段を有する画像読取装置において、前記原稿搬送装置は、請求項１乃至請求項４のいずれかに記載の原稿搬送装置であることを特徴とする画像読取装置。
【請求項６】
画像読取装置により読取られた原稿の画像情報を基に、像担持体上にトナー像を形成し、該トナー像を記録媒体に転写して前記画像情報を形成する画像形成装置において、前記画像読取装置は、請求項５記載の画像読取装置であることを特徴とする画像形成装置。
【発明の詳細な説明】
【０００１】
【発明の属する技術分野】
本発明は原稿を所定位置に搬送する原稿搬送装置及び該原稿搬送装置を有する画像読取装置及び該画像読取装置を有する画像形成装置に関する。
【０００２】
【従来の技術】
デジタル複写機やプリンター、あるいはＦＡＸ等の画像形成装置において、原稿台ガラス上に配置され、原稿の画像情報を読取るために、原稿台ガラス上の読取位置へ自動的に送るように構成した自動原稿搬送装置（ＡＤＦ：Auto Document Feeder、以下ＡＤＦ）が知られている。近年の急速なデジタル化により、デジタル読取り、メモリ搭載による高速デジタル複写機の発達や、低価格な普及機種へのＡＤＦ搭載、さらにはネットワークを介してパソコン等に画像を転送するための画像入力手段として、ＡＤＦはより高精度、かつ高速な画像の読取性能を求められている。
【０００３】
従来、原稿台ガラスの上方にＡＤＦを設置し、ＡＤＦによる原稿の流し読みを行なうＡＤＦモードと、原稿台ガラス上に原稿をセットして光学系を移動させて読取りを行なうブックモードの２つの読取モードを備える画像読取装置に搭載されるＡＤＦにおいて、排出トレイの上方に原稿トレイを重ねて配置し、原稿トレイから読取位置を通過して排出トレイまで導く原稿搬送路をＵターンパスで構成することにより、占有面積を減らし、装置の小型化を図ったものが知られている。
【０００４】
この種のＡＤＦには、透明なフィルム部材を原稿の表面側をガイドする部材として設けたものがある。この形式の利点は、
▲１▼  原稿外側をガイドする部材が複数部材で構成されている場合とは異なり、読取位置上流側から読取位置を経て排出トレイまでスムーズに搬送できる。特に、読取位置から排出トレイにまで導く排出ガイド部材に原稿先端が突入するときのショックを軽減できること。
▲２▼  読取位置から排出ガイド部材に原稿をすくいあげる構成を設ける必要がないため、ＡＤＦ読取位置をブックモードの画像読取領域内と別に設ける必要がなく、容易な構成で更なる装置の小型化を図ることができること。
などが挙げられる。
【０００５】
図９は、上述のようなＵターンパスで構成され、且つ原稿表面側ガイド部材として透明フィルム部材を用いたＡＤＦの一例を示す構成図である。また、図１０はＡＤＦの主要部分を拡大した断面図であり、図１１は前図におけるＡ−Ａ断面図である。例に挙げるＡＤＦは図示しない画像形成装置の上に搭載されているものとする。図を用いて従来例を説明する。
【０００６】
１は原稿トレイ、２は原稿の側部を規制する幅規制板である。３はピックアップローラであり、原稿を給送するため、原稿に当接する位置（図１０における原稿上面３'の位置）まで下降することができる。４は分離ローラで、対向する分離パッド５と常に接触し摩擦分離を行ない、原稿を一枚ずつ搬送する。６は第一搬送ローラ、７は搬送コロである。
【０００７】
原稿分離された原稿は内ガイド10と外ガイド18で形成され、下方に湾曲傾斜した搬送路を進み、読取位置Ｑ直前の上流側搬送手段としての読取前ローラ11及び読取加圧コロ12を経て、読取位置Ｑまで搬送される。読取位置Ｑ付近の原稿裏側（読取面と反対側）をガイドするガイド部材を読取ガイド13と称す。この読取ガイド13の対向側に位置し、原稿表側をガイドする手段として透明フィルム部材である透明シートとしてのガイドマイラ14が装着されている。ガイドマイラ14は例えばＰＥＴ材等からなる透明なプラスチックフィルムであり、100μm程度の厚みで構成されている。ガイドマイラ14をボス部により係止して部材をマイラホルダ19と称する。ガイドマイラ14は一端がマイラホルダ19のボス部19ａで係止され、もう一端が原稿台ガラス62を経て排出ガイド20に乗っている。
【０００８】
読取ガイド13は読取位置Ｑと対向する面が、原稿台ガラス62と平行な平面部13ａと、その平面部13ａと上流側、下流側にそれぞれ連なって湾曲傾斜している上流側傾斜部13ｂと、下流側傾斜部13ｃによって形成されている。また、読取ガイド13は回動支点13ｄを中心に回動自在に装着され、図示しない付勢手段により原稿台ガラス62方向へ付勢されている。また、図１１に示すように、搬送方向に直交する方向の平面部13ａの両端には突起部材として突当突起13ｅが設けられ、ガイドマイラ14との微小間隔ｄが一定に保持される。従って、ガイドマイラ14は読取位置Ｑ付近で原稿台ガラス62と接し、原稿画像はこのガイドマイラ14と原稿台ガラス62を通して読取られる。
【０００９】
読取位置Ｑを通過した原稿は上方に傾斜した排出ガイド20の上に装着されたガイドマイラ14に沿って搬送され、下流側搬送手段としての排出ローラ15及び排出加圧コロ16により排出トレイ17に排出される。すなわち、このＡＤＦは原稿トレイ１から読取位置Ｑを通過して排出トレイ17に至るまでの搬送路をＵターンパスで構成されている。
【００１０】
上述のようなＵターンパスで構成されたＡＤＦにおいて、搬送中の原稿後端が読取位置直前のローラ対を抜けた瞬間のショックによって原稿がばたつき、その結果、読取られた画像には色ずれや画像歪みといった画像欠陥が生じ易いという問題があった。そのメカニズムを図１２にて説明する。
【００１１】
図１２は原稿の後端が読取前ローラを抜ける瞬間を説明した状態図である。原稿Ｐは読取前ローラ11と排出ローラ15の両方にニップされて搬送されているときには、読取ガイド13の上流側傾斜部13ｂ及び下流側傾斜部13ｃに沿うように搬送される。
【００１２】
これは、搬送中の原稿にムダなたるみなどを防止するために、一般的に排出ローラ15が読取前ローラ11の周速よりも約１％速く設定されるためである。原稿Ｐの後端が読取前ローラ11を抜けると、読取ガイド11の上流側傾斜部13ｂに沿って搬送されていた原稿Ｐが、原稿の腰によって直線状に復元しようとすることからガイドマイラ14に向けて落下する。このショックにより、原稿が上下方向にばたつく。このばたつきの影響が読取位置の原稿にまで及び、結果として読取られた画像に色ずれや歪みといった画像欠陥を発生してしまう。
【００１３】
この問題に対し、従来、実開平7-42258号公報（図１３参照）にあるように、読取位置上流側に原稿を内側ガイドに弾性力をもって直接押圧する押え板118を設けることで、原稿のブレや暴れを抑制し、読取位置における原稿の安定搬送を求めたものがある。
【００１４】
【発明が解決しようとする課題】
しかしながら、原稿を直接押圧する構成では、原稿後端が読取前ローラ11を抜けた瞬間のショックは緩和できるが、原稿後端が押え板118を通過する瞬間のショックが新たに色ずれや歪みの原因となってしまう。
【００１５】
本発明は、このような従来技術における課題を解決するものであり、原稿搬送装置において、安価で簡易的な手段で、原稿後端が上流側搬送手段を抜けたときのショックによる原稿のブレを防ぎ、読取画像の色ずれや歪みを防止することを目的とする。
【００１６】
【課題を解決するための手段】
上記目的を達成するための、本発明の代表的な構成は、上流側搬送手段から搬送された原稿の読取面の画像を、読取手段により読取り、前記原稿を下流側搬送手段によって下流側に搬送する原稿搬送装置において、前記読取手段に対向する平面部と、該平面部と前記上流側搬送手段との間に配置され該平面部の上流側に連なる上流側傾斜部と、該平面部と前記下流側搬送手段との間に配置され該平面部の下流側に連なる下流側傾斜部と、を有し、前記原稿の読取面と反対面側をガイドするガイド部材と、前記ガイド部材と対向し、前記原稿の読取面側をガイドする透明シートと、前記上流側傾斜部に対向し前記透明シートを挟んで反対側に設けられ、前記透明シートを持ち上げる弾性部材を有し、且つ前記透明シートが前記上流側傾斜部に当接するように、あるいは前記透明シートと前記上流側傾斜部との隙間が微小となるように、前記透明シートを保持するシート保持手段と、を有することを特徴とする。
【００１７】
【発明の実施の形態】
本発明の第１実施形態について、図を用いて説明する。図１は画像形成装置を説明する全体構成図であり、図２は画像読取装置の要部を示す断面図である。まず、原稿読取機能を備えた画像形成装置について図１により説明する。全体構成として画像形成装置101の上に画像読取装置(以下、スキャナ部）90が置かれ、さらにその上に原稿搬送装置（以下、ＡＤＦ部）30が装着されている。
【００１８】
まず画像形成装置101の説明を簡単におこなう。113は画像書き込み用のレーザースキャナで、スキャナ部90によって読取られた画像に対し画像処理された後、記録信号に応じてレーザー光が像担持体としての感光体ドラム108に対し照射されて潜像が形成される。さらに図示しないトナー供給装置から供給されたトナーによってトナー像が形成される。102は紙あるいは、シートフィルム等の記録媒体を収容するカセットである。
【００１９】
記録信号に応じてカセット102から記録シートがピックアップローラ103によりピックアップされ、搬送ローラ104及び分離ローラ105によって一枚ずつ感光体ドラム108と対向する位置まで供給され、転写装置109によって感光体ドラム108に形成されたトナー像が記録媒体上に転写される。そして、トナー像が転写された記録シートは定着装置110に送られて定着される。記録媒体の両面に画像を形成する場合、定着装置110によって画像定着された記録シートは、定着装置110の下流側に設けられた排出ローラ111により排出トレイ112に排出される。
【００２０】
次にスキャナ部90について図１及び図２にて説明する。スキャナ部90の上面には平置きされた原稿を読取るための原稿台ガラス62が装着され、ＡＤＦ部30は原稿台ガラス62に対して開閉可能に装着され、原稿抑えとしての役割を果たす。63は原稿台ガラス上に配置されたブックモード時の原稿突当基準である。スキャナ部90には読取手段としての画像読取キャリッジ50が図面横方向にガイド軸57に沿って移動可能に装着され、平置きされた原稿をスキャン可能とする。
【００２１】
駆動伝達は不図示のモータより駆動ギヤ58、駆動プーリ59、60、駆動ベルト61を介し、画像読取キャリッジ50に伝達される。この画像読取キャリッジ50には、図２に示すように、原稿を照射するランプ51と反射ミラー52、53、54、レンズ55、及び光電変換素子56が搭載される。ランプにより照射された原稿画像は反射ミラー52、53、54を介し、レンズ55を経て光電変換素子56に導かれる。ＡＤＦにより搬送される原稿を読取る場合は、この画像読取キャリッジ50が所定の読取位置Ｑの位置まで移動、停止した状態で読取りが行なわれる。
【００２２】
（第１実施形態）
続いて、第１実施形態にかかるＡＤＦ部30について図を用いて説明する。図３は第１実施形態の原稿搬送装置(ＡＤＦ)の要部を示す断面図であり、図４は第１実施形態の読取位置付近の構成を説明する拡大図である。尚、同図において、従来例と同一部材又は同一機能のものは同一符号で示し、説明を省略する。
【００２３】
第１実施形態に係るマイラホルダ19には、一端が底面19ｃに、例えば両面テープなどで固着され、もう一端が読取ガイド13の平面部13ａと上流側傾斜部13ｂとの境界付近にまで延設されたシート保持手段としての補助マイラ21が装着されている。補助マイラ21はシート状弾性部材であり、任意のプラスチックフィルムを使用することができ、例えばポリエチレン材の薄いシート状等の弾性部材で構成されている。
【００２４】
図４に示すように、補助マイラ21は僅かに撓みながら弾性力をもってガイドマイラ14を持ち上げ、読取ガイド13の上流側傾斜部13ｂの最大突出部付近でガイドマイラ14は読取ガイド13に軽く当接している。補助マイラ21は読取ガイド13の上流側傾斜部13ｂから平面部13ａにかかる境界付近でガイドマイラ14を持ち上げている。ガイドマイラ14はその持ち上げ位置に連れてならうように持ち上げられるため、上流側傾斜部13ｂの範囲をもって読取ガイド13との間隔を狭めている。このとき、ガイドマイラ14は必ずしも読取ガイド13と接する必要はなく、上流側傾斜部13ｂ付近のガイドマイラ14と読取ガイド13の間隔が100〜200μm程度に保たれていればよい。また、補助マイラ21は原稿幅方向に延在しており、原稿幅にわたって一定の押上力でガイドマイラ14を持ち上げている。
【００２５】
図５は原稿の後端が読取前ローラを抜けるときの搬送状態を説明した概略図である。原稿Ｐが搬送され、読取前ローラ11を通過すると、原稿Ｐはガイドマイラ14及び補助マイラ21を下に押し下げながら搬送される。このとき、原稿が薄紙のときには搬送抵抗にならず、厚紙のときには搬送路を大きく広げすぎることのないように補助マイラ21の弾性力を設定する必要がある。本実施形態においては、薄紙を約60g/m2、厚紙を約110g/m2と設定し、補助マイラ21の厚みを200μm、30〜40gの弾性力でガイドマイラ14を持ち上げている。
【００２６】
従って、原稿は坪量に応じてガイドマイラ14を押し下げ、必要な搬送路確保しながら搬送するが、上流側傾斜部13ｂの読取ガイド13との間隔は厚紙であっても200〜300μm以下の微小間隔で保たれる。この場合、原稿Ｐを挟むようにガイドマイラ14を付勢しても構わないが、薄紙で搬送抵抗とならないように十分に小さな力で付勢するように補助マイラ21の押付力を調整する。
【００２７】
原稿Ｐの後端が読取前ローラ11を抜けるまでは、原稿Ｐは読取ガイド13の上流側傾斜部13ｂに沿うように搬送されている(図示破線)。この状態から原稿Ｐの後端が読取前ローラ11を抜けると、原稿Ｐの後端はガイドマイラ14に向けて落下するものの、落下したショックによる原稿の上下方向のばたつきを、上流側傾斜部13ｂ付近の読取ガイド13とガイドマイラ14とが微小間隔であるために抑制できる。従って、読取位置Ｑにおける原稿に原稿後端が読取前ローラ11を抜けたときのショックが波及することを防ぐことができる。すなわち、結果として読取られた画像に色ずれや歪みといった画像欠陥の発生を防ぐことができる。
【００２８】
原稿後端が抜けたショックによる原稿のばたつきを抑えるには、一点で原稿を抑えるのではなく、範囲（面積）をもって抑えることが効果的である。本実施形態のように、ガイドマイラ14をポイント的に持ち上げても、ガイドマイラ14が連れならうように配置されるため、安価で容易な構成で原稿後端が抜けたショックを吸収できる。
【００２９】
（第２実施形態）
本発明の第２実施形態について図面を用いて説明する。前述した実施形態と同様の構成については同符号を付し説明を省略する。図６は第２実施形態の読取位置付近の構成を説明する拡大図である。
【００３０】
第２実施形態にかかるＡＤＦ部31には、読取ガイド13の上流側傾斜部13ｂの対向側に、ガイドマイラ14と重なるようにして配置されたシート保持手段としての補助マイラ22が設けられている。図７は第２実施形態の補助マイラを説明する斜視図である。22ｂは読取加圧コロ12の逃げ用の穴であり、22ｃはマイラホルダのボス部19ａとの嵌合用の穴である。また、原稿幅方向に３個、曲げ部22ａが設けられている。補助マイラ22は、マイラホルダ19のボス部19ａに嵌合用穴22ｃを通してマイラホルダ19に装着され、その上にガイドマイラ14が装着される。
【００３１】
図６に示すように、ガイドマイラ14は補助マイラ22の曲げ部22ａによって読取ガイド13側に持ち上げられて装着され、上流側傾斜部13ｂの最大突出部で読取ガイド13と軽く当接している。補助マイラ22は第１実施形態同様、弾性的性質を有する任意のプラスチックフィルムを使用できるもので、例えばポリエチレン材の薄いシート状等の弾性部材で構成されている。すなわち、ガイドマイラ14を持ち上げるポイントは異なるが、第１実施形態同様、弾性力をもってガイドマイラ14を持ち上げ、上流側傾斜部13ｂ付近の搬送路を微小間隔に保持している。
【００３２】
上記構成のＡＤＦ部31では、第１実施形態同様、薄紙搬送時の搬送抵抗にならず、厚紙搬送時に搬送路を広げすぎないよう補助マイラ22の厚み、押上力は調整されている。従って、第１実施形態で得られた効果同様、原稿後端が読取前ローラ11を抜けたショックを上流側傾斜部13ｂ付近で吸収し、読取位置における原稿を安定的に搬送することができる。
【００３３】
（第３実施形態）
本発明の第３実施形態について図面を用いて説明する。前述した実施形態と同様の構成については同符号を付し説明を省略する。図８は第３実施形態の読取位置付近の構成を説明する拡大図である。
【００３４】
第３実施形態にかかるＡＤＦ部32には、それ自体に弾性力をほとんどもたない樹脂成形されたシート保持手段としてのマイラホルダ23を読取ガイド13の上流側傾斜部13ｂと平面部13ａの境界付近まで延在している。
【００３５】
図８に示すように、マイラホルダ23はガイドマイラ14を持ち上げ、第１、第２実施形態同様、上流側傾斜部13ｂの最大突出部で読取ガイド13に軽く当接させている。マイラホルダ23は回動支点23ａで図示しないＡＤＦ部32のフレームに回転自在に支持される。マイラホルダ23の下面のボス部23ｂにはコイルバネ24を介してブックモード読み取り時の原稿突き当て基準63に当接し、マイラホルダ23は読取ガイド13方向に持ち上げられている。
【００３６】
従って、マイラホルダ23（非弾性部材）自体は弾性力を有さないものの、弾性部材としてコイルバネ24を介して弾性力をもってガイドマイラ14を持ち上げ、上流側傾斜部13ｂ付近の搬送路を微小間隔に保っている。コイルバネ24のバネ圧は、薄紙搬送時には搬送抵抗にならず、厚紙搬送時には搬送路を大きく広げることのないよう調整されている。従って、第１、第２実施形態で得られた効果同様、原稿後端が読取前ローラ11を抜けたショックを上流側傾斜部13ｂ付近で吸収し、読取位置における原稿を安定的に搬送することができる。尚、非弾性部材に弾性力を付勢する手段は本実施形態の構成に限定するものではなく、非弾性部材が弾性力をもってガイドマイラ14に当接し、持ち上げている構成であればよい。
【００３７】
【発明の効果】
以上のように、本発明においては、読取手段に対向する平面部と、該平面部と前記上流側搬送手段との間に配置され該平面部の上流側に連なる上流側傾斜部と、該平面部と前記下流側搬送手段との間に配置され該平面部の下流側に連なる下流側傾斜部と、を有し、前記原稿の読取面と反対面側をガイドするガイド部材と、前記ガイド部材と対向し、前記原稿の読取面側をガイドする透明シートと、前記上流側傾斜部に対向し前記透明シートを挟んで反対側に設けられ、前記透明シートを持ち上げる弾性部材を有し、且つ前記透明シートが前記上流側傾斜部に当接するように、あるいは前記透明シートと前記上流側傾斜部との隙間が微小となるように、前記透明シートを保持するシート保持手段と、を有する構成であるため、原稿搬送装置において、安価で簡易的な手段で、原稿後端が上流側搬送手段を抜けたときのショックによる原稿のブレを防ぎ、読取画像の色ずれや歪みを防止することができる。
【図面の簡単な説明】
【図１】画像形成装置を説明する全体構成図である。
【図２】画像読取装置の要部を示す断面図である。
【図３】第１実施形態の原稿搬送装置（ＡＤＦ）の要部を示す断面図である。
【図４】第１実施形態の読取位置付近の構成を説明する拡大図である。
【図５】原稿の後端が読取前ローラを抜けるときの搬送状態を説明した概略図である。
【図６】第２実施形態の読取位置付近の構成を説明する拡大図である。
【図７】第２実施形態の補助マイラを説明する斜視図である。
【図８】第３実施形態の読取位置付近の構成を説明する拡大図である。
【図９】従来のＡＤＦの一例を示す構成図である。
【図１０】従来のＡＤＦの主要部分を拡大した断面図である。
【図１１】前図におけるＡ−Ａ断面図である。
【図１２】従来のＡＤＦで、原稿の後端が読取前ローラを抜ける瞬間を説明した状態図である。
【図１３】従来のＡＤＦの押え板の説明図である。
【符号の説明】
Ｐ    …原稿
Ｑ    …読取位置
１    …原稿トレイ
２    …幅規制板
３    …ピックアップローラ
４    …分離ローラ
５    …分離パッド
６    …第一搬送ローラ
７    …搬送コロ
10    …内ガイド
11    …読取前ローラ
12    …読取加圧コロ
13    …読取ガイド
13ａ  …平面部
13ｂ  …上流側傾斜部
13ｃ  …下流側傾斜部
13ｄ  …回動支点
13ｅ  …突当突起
14    …ガイドマイラ
15    …排出ローラ
16    …排出加圧コロ
17    …排出トレイ
18    …外ガイド
19    …マイラホルダ
19ａ  …ボス部
19ｃ  …底面
20    …排出ガイド
21    …補助マイラ
22    …補助マイラ
22ａ  …曲げ部
22ｂ  …逃げ用穴
22ｃ  …嵌合用穴
23    …マイラホルダ
23ａ  …回動支点
23ｂ  …ボス部
24    …コイルバネ
30    …ＡＤＦ部
31    …ＡＤＦ部
32    …ＡＤＦ部
50    …画像読取キャリッジ
51    …ランプ
52    …反射ミラー
53    …反射ミラー
54    …反射ミラー
55    …レンズ
56    …光電変換素子
57    …ガイド軸
58    …駆動ギヤ
59    …駆動プーリ
60    …駆動プーリ
61    …駆動ベルト
62    …原稿台ガラス
63    …原稿突当基準
90    …スキャナ部
101   …画像形成装置
102   …カセット
103   …ピックアップローラ
104   …搬送ローラ
105   …分離ローラ
108   …感光体ドラム
109   …転写装置
110   …定着装置
111   …排出ローラ
112   …排出トレイ
113   …レーザースキャナ
【図１】
0003943942.tif 000002
【図２】
0003943942.tif 000003
【図３】
0003943942.tif 000004
【図４】
0003943942.tif 000005
【図５】
0003943942.tif 000006
【図６】
0003943942.tif 000007
【図７】
0003943942.tif 000008
【図８】
0003943942.tif 000009
【図９】
0003943942.tif 000010
【図１０】
0003943942.tif 000011
【図１１】
0003943942.tif 000012
【図１２】
0003943942.tif 000013
【図１３】
0003943942.tif 000014